(57)【要約】【課題】自装置を制御するための専用の機器制御ボタンを操作しなくても、自装置の制御が可能なプロジェクタ装置を提供する。【解決手段】画像処理部８は、外部から入力される映像信号に基づく第１の画像を生成する。画像処理部８は、オンスクリーン表示が指示されたときには、第１の操作入力部を通じて自装置を制御するためのアイコンおよびタッチパッド２４のカーソルからなる第２の画像を生成して、第１の画像の上に重畳し、重畳した画像を出力する。制御部１０は、第１の操作入力部１２を通じて、第２の画像内のアイコンが選択された場合に、アイコンに対応する制御を行なう。【選択図】図１
2008305023.tif 000002
【特許請求の範囲】
【請求項１】
光源と、外部から入力される映像信号に基づく第１の画像を生成する画像処理部と、前記画像処理部から出力される画像に従って前記光源から出力される光を空間的に変調し、スクリーンに投射する投光ユニットとを備えたプロジェクタ装置において、
タッチパッド、左ボタンおよび右ボタンからなる第１の操作入力部を備え、
前記画像処理部は、オンスクリーン表示が指示されたときには、前記第１の操作入力部を通じて前記自装置を制御するためのアイコンおよび前記タッチパッドのカーソルからなる第２の画像を生成して、前記第１の画像の上に重畳し、前記重畳した画像を出力し、
前記投光ユニットは、前記オンスクリーン表示が指示されたときには、前記重畳された画像に従って光を空間的に変調することにより、前記第２の画像をオンスクリーン表示し、
前記プロジェクタ装置は、さらに、
前記第１の操作入力部を通じて、前記第２の画像内のアイコンが選択された場合に、前記アイコンに対応する制御を行なう制御部を備え、
前記プロジェクタ装置は、前記第２の画像内のアイコンの選択で実行される処理と同一の処理を行なうための機器制御ボタンからなる第２の操作入力部を有せず、
前記制御部は、前記オンスクリーン表示がされていないときに、前記左ボタンが押された場合に、前記画像処理部に前記オンスクリーン表示を指示し、
前記制御部は、前記オンスクリーン表示がされているときに、前記右ボタンが押された場合に、前記画像処理部に前記オンスクリーン表示の終了を指示する、プロジェクタ装置。
【請求項２】
光源と、外部から入力される映像信号に基づく第１の画像を生成する画像処理部と、前記画像処理部から出力される画像に従って前記光源から出力される光を空間的に変調し、スクリーンに投射する投光ユニットとを備えたプロジェクタ装置において、
タッチパッド、左ボタンおよび右ボタンからなる第１の操作入力部を備え、
前記画像処理部は、オンスクリーン表示が指示されたときには、前記第１の操作入力部を通じて前記自装置を制御するためのアイコンおよび前記タッチパッドのカーソルからなる第２の画像を生成して、前記第１の画像の上に重畳し、前記重畳した画像を出力し、
前記投光ユニットは、前記オンスクリーン表示が指示されたときには、前記重畳された画像に従って光を空間的に変調することにより、前記第２の画像をオンスクリーン表示し、
前記プロジェクタ装置は、さらに、
前記第１の操作入力部を通じて、前記第２の画像内のアイコンが選択された場合に、前記アイコンに対応する制御を行なう制御部を備えた、プロジェクタ装置。
【請求項３】
前記プロジェクタ装置は、前記第２の画像内のアイコンの選択で実行される処理と同一の処理を行なうための機器制御ボタンからなる第２の操作入力部を有しない、請求項２記載のプロジェクタ装置。
【請求項４】
前記制御部は、前記オンスクリーン表示がされていないときに、前記左ボタンが押された場合に、前記画像処理部に前記オンスクリーン表示を指示する、請求項２記載のプロジェクタ装置。
【請求項５】
前記制御部は、前記オンスクリーン表示がされているときに、前記右ボタンが押された場合に、前記画像処理部に前記オンスクリーン表示の終了を指示する、請求項２記載のプロジェクタ装置。
【発明の詳細な説明】
【技術分野】
【０００１】
本発明は、プロジェクタ装置に関し、特にカーソルの表示が可能なプロジェクタ装置に関する。
【背景技術】
【０００２】
従来から、タッチパッドやレーザポインタなどの入力手段を備え、カーソルをスクリーンに表示し、ユーザが入力手段を操作することによってカーソルを移動させることができるプロジェクタ装置が開示されている。また、これらの装置では、このようなカーソルの移動によって、線や文字なども描画することができるようにしている（たとえば、特許文献１〜３を参照）。
【特許文献１】特開２００５−１２２６９６号公報
【特許文献２】特開２００６−５３９０９号公報
【特許文献３】特開２００３−１７３２３５号公報
【発明の開示】
【発明が解決しようとする課題】
【０００３】
しかしながら、特許文献１〜３では、自装置を制御するための専用の機器制御ボタンを操作することによって自装置を操作しなければならない。たとえば、プロジェクタへ入力する信号をビデオ信号にするか、あるいはパソコンの信号にするかの切替えるために、専用の切替えボタンを操作しなければならない。プロジェクタを使い慣れていないユーザにとっては、必ずしも使い勝手がよいとはいえない。
【０００４】
それゆえに、本発明の目的は、自装置を制御するための専用の機器制御ボタンを操作しなくても、自装置の制御が可能なプロジェクタ装置を提供することである。
【課題を解決するための手段】
【０００５】
上記課題を解決するために、本発明は、光源と、外部から入力される映像信号に基づく第１の画像を生成する画像処理部と、画像処理部から出力される画像に従って光源から出力される光を空間的に変調し、スクリーンに投射する投光ユニットとを備えたプロジェクタ装置において、タッチパッド、左ボタンおよび右ボタンからなる第１の操作入力部を備え、画像処理部は、オンスクリーン表示が指示されたときには、第１の操作入力部を通じて自装置を制御するためのアイコンおよびタッチパッドのカーソルからなる第２の画像を生成して、第１の画像の上に重畳し、重畳した画像を出力し、投光ユニットは、オンスクリーン表示が指示されたときには、重畳された画像に従って光を空間的に変調することにより、第２の画像をオンスクリーン表示し、プロジェクタ装置は、さらに、第１の操作入力部を通じて、第２の画像内のアイコンが選択された場合に、アイコンに対応する制御を行なう制御部を備え、プロジェクタ装置は、第２の画像内のアイコンの選択で実行される処理と同一の処理を行なうための機器制御ボタンからなる第２の操作入力部を有せず、制御部は、オンスクリーン表示がされていないときに、左ボタンが押された場合に、画像処理部にオンスクリーン表示を指示し、制御部は、オンスクリーン表示がされているときに、右ボタンが押された場合に、画像処理部にオンスクリーン表示の終了を指示する。
【０００６】
本発明は、光源と、外部から入力される映像信号に基づく第１の画像を生成する画像処理部と、画像処理部から出力される画像に従って光源から出力される光を空間的に変調し、スクリーンに投射する投光ユニットとを備えたプロジェクタ装置において、タッチパッド、左ボタンおよび右ボタンからなる第１の操作入力部を備え、画像処理部は、オンスクリーン表示が指示されたときには、第１の操作入力部を通じて自装置を制御するためのアイコンおよびタッチパッドのカーソルからなる第２の画像を生成して、第１の画像の上に重畳し、重畳した画像を出力し、投光ユニットは、オンスクリーン表示が指示されたときには、重畳された画像に従って光を空間的に変調することにより、第２の画像をオンスクリーン表示し、プロジェクタ装置は、さらに、第１の操作入力部を通じて、第２の画像内のアイコンが選択された場合に、アイコンに対応する制御を行なう制御部を備える。
【０００７】
好ましくは、プロジェクタ装置は、第２の画像内のアイコンの選択で実行される処理と同一の処理を行なうための機器制御ボタンからなる第２の操作入力部を有しない。
【０００８】
好ましくは、制御部は、オンスクリーン表示がされていないときに、左ボタンが押された場合に、画像処理部にオンスクリーン表示を指示する。
【０００９】
好ましくは、制御部は、オンスクリーン表示がされているときに、右ボタンが押された場合に、画像処理部にオンスクリーン表示の終了を指示する。
【発明の効果】
【００１０】
本発明のプロジェクタ装置によれば、自装置を制御するための専用の機器制御ボタンを操作しなくても、自装置の制御を行なうことができる。
【発明を実施するための最良の形態】
【００１１】
以下、本発明に係る実施の形態について図面を参照して説明する。
図１は、本発明の実施形態のプロジェクタ装置の構成を表わす図である。
【００１２】
図１を参照して、このプロジェクタ装置は、セレクタ２と、Ａ／Ｄ変換部４と、メモリ６と、画像処理部８と、光源１６と、投光ユニット１８と、第１の操作入力部１２と、第２の操作入力部１４と、制御部１０とを備える。
【００１３】
セレクタ２は、外部からの３系統の信号、すなわち、パソコンの信号、第１のビデオ信号、および第２のビデオ信号の入力を受けて、制御部１０の指示にしたがって、そのうちの１つを出力する。
【００１４】
Ａ／Ｄ変換部４は、セレクタ２で選択されたアナログの映像信号をデジタル化して、メモリ６に出力する。
【００１５】
画像処理部８は、メモリ６へ入力されたデジタル化されたデータからスクリーンの大きさに合わせた第１の画像（つまり、ビデオまたはパソコンの画像）を生成する。また、画像処理部８は、オンスクリーン表示時には、制御部１０の指示にしたがって、第１の操作入力部１２を通じて自装置を制御するためのアイコンおよびタッチパッド２４のカーソルからなる第２の画像（操作用画像）を生成する。画像処理部８は、オンスクリーン表示時には、第１の画像の上に第２の画像を重畳した画像を出力し、オンスクリーン表示時以外には、第１の画像を出力する。
【００１６】
光源１６から出力された光は、投光ユニット１８に送られる。
投光ユニット１８は、画像処理部８から出力される画像に従って光源１６から出力される光を空間的に変調し、前方に配置されたスクリーンに投射する。投光ユニット１８は、具体的には、ＤＭＤ２０（Digital Mirror Device）および投射レンズ２２を含む。ＤＭＤ２０は、個別に制御される複数のマイクロミラーを備える。各ミラーは１画素に相当する。ミラーは、オンのときには光源１６からの光を外部に反射し、オフのときには光源１６からの光を外部に反射しない。
【００１７】
オンスクリーン表示時には、第１の画像の上に第２の画像が重畳された画像に従って光が空間的に変調されることにより、ビデオまたはパソコンの画像（第１の画像）の上に第２の画像（操作用画像）がオンスクリーン表示される。また、オンスクリーン表示時以外には、第１の画像に従って光が空間的に変調されることにより、ビデオまたはパソコンの画像（第１の画像）が表示される。
【００１８】
図２は、図１のプロジェクタの外観を表わす図である。
図２を参照して、プロジェクタの上面に、第２の操作入力部１４および第１の操作入力部１２が設けられる。
【００１９】
第２の操作入力部１４は、機器制御ボタンを含む。機器制御ボタンは、具体的には、電源の入／切を指定するＯＮ／ＯＦＦボタン３０、メニューを表示するためのＭＥＮＵボタン３２、入力される映像信号を選択するためのＳＥＬＥＣＴボタン３４、カーソルを上に移動するための↑（上移動）ボタン３６、カーソルを下に移動するための↓（下移動）ボタン３８、カーソルを左に移動するための←（左移動）ボタン４２、およびカーソルを右に移動するための→（右移動）ボタン４０である。
【００２０】
第１の操作入力部１２は、カーソルを移動するためのタッチパッド２４と、左ボタン２６と、右ボタン２８とを含む。
【００２１】
制御部１０は、オンスクリーン表示がされていないときに、左ボタン２６が押された場合に、画像処理部８にオンスクリーン表示を指示する。また、制御部１０は、オンスクリーン表示がされているときに、右ボタン２８が押された場合に、画像処理部８にオンスクリーン表示の終了を指示する。
【００２２】
図３は、第２の画像（操作用画像）の例を表わす図である。
図３を参照して、第２の画像は、自装置を制御するためのアイコン５０，５２，５４，５６，５８，６０，６２と、カーソル６４とを含む。アイコン５０，５２，５４，５６，５８，６０，６２は、機器制御ボタン３０，３２，３４，３６，３８，４０，４２に対応している。アイコン５０，５２，５４，５６，５８，６０，６２の選択によって、機器制御ボタン３０，３２，３４，３６，３８，４０，４２の押下による処理と同一の処理が行なわれる。
【００２３】
ユーザは、タッチパッド２４を操作することによって、カーソル６４を移動させ、左ボタン２６を選択することによって、カーソル６４が位置するアイコンを選択する。制御部１０は、第２の画像内のアイコン５０，５２，５４，５６，５８，６０，６２が選択された場合に、アイコン５０，５２，５４，５６，５８，６０，６２に対応する処理を行なう。
【００２４】
たとえば、図４に示すように、ユーザが、ＳＥＬＥＣＴアイコン５４を選択した場合に、３つの選択項目（パソコン、ビデオ１、ビデオ２）が表示される。ユーザが、選択したい項目にカーソル６４を移動し、左ボタン２６を押下げることによって、カーソル６４が位置する項目が選択される。制御部１０は、パソコンが選択されたときには、セレクタ２を指示してパソコンの信号を出力させ、ビデオ１が選択されたときには、セレクタ２を指示して第１のビデオ信号を出力させ、ビデオ２が選択されたときには、セレクタ２を指示して第２のビデオ信号を出力させる。
【００２５】
以上のように、本発明の実施形態のプロジェクタ装置によれば、自装置を制御するための専用の機器制御ボタン３０，３２，３４，３６，３８，４０，４２を操作しなくても、第２の画像内のアイコン５０，５２，５４，５６，５８，６０，６２をタッチパッド２４および左ボタン２６で選択することによって、自装置の制御を行なうことができる。
【００２６】
（変形例）
本発明は、上記の実施の形態に限定されるものではなく、たとえば以下のような変形例を含む。
【００２７】
（１）  機器制御ボタン
本発明の実施形態では、第１の操作入力部１２（タッチパッド２４、左ボタン２６および右ボタン２８）とともに第２の操作入力部１４（機器制御ボタン）を備える構成について説明した。このような構成を採用することにより、ユーザは、機器制御ボタンを直接操作することによっても、機器制御ボタンに対応するアイコンをタッチパッド２４および左ボタン２６により選択することによっても、同一の制御を行なうことができる。
【００２８】
しかしながら、このような１つの制御に対して２通りの操作方法があることが混乱をもたらす可能性がある場合には、第２の操作入力部１４（機器制御ボタン）を設けないこととしてもよい。
【００２９】
（２）  本発明の実施形態では、光を空間的に変調する素子としてＤＭＤを用いたが、これに限定するものではなく、液晶パネルであってもよい。
【００３０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３１】
【図１】本発明の実施形態のプロジェクタ装置の構成を表わす図である。
【図２】図１のプロジェクタの外観を表わす図である。
【図３】第２の画像（操作用画像）の例を表わす図である。
【図４】第２の画像（操作用画像）の例を表わす図である。
【符号の説明】
【００３２】
２  セレクタ、４  Ａ／Ｄ変換部、６  メモリ、８  画像処理部、１０  制御部、１２  第１の操作入力部、１４  第２の操作入力部、１６  光源、１８  投光ユニット、２０  ＤＭＤ、２２  投射レンズ、２４  タッチパッド、２６  左ボタン、２８  右ボタン、３０  ＯＮ／ＯＦＦボタン、３２  ＭＥＮＵボタン、３４  ＳＥＬＥＣＴボタン、３６  ↑ボタン、３８  ↓ボタン、４０  →ボタン、４２  ←ボタン、５０  ＯＮ／ＯＦＦアイコン、５２  ＭＥＮＵアイコン、５４  ＳＥＬＥＣＴアイコン、５６  ↑アイコン、５８  ↓アイコン、６０  →アイコン、６２  ←アイコン、６４  カーソル。
【図１】
2008305023.tif 000003
【図２】
2008305023.tif 000004
【図３】
2008305023.tif 000005
【図４】
2008305023.tif 000006